(57)【要約】  【課題】  再生情報に含まれるパラメータから再生時間を演算するので、再生時間情報をアドレス情報に含まない圧縮オーディオ情報を電源停止後に再生する場合であっても再生時間情報を得ること。  【解決手段】  電源停止時のパラメータがＤＲＡＭ１１１から読み出されると、ＣＰＵ１１３は、ＲＯＭ１１２に格納された制御プログラムを実行して、ＤＲＡＭ１１１から読み出したパラメータに基づいて電源停止時の再生時間を演算する。そして、ＣＰＵ１１３は、ＲＯＭ１１２に格納された制御プログラムを実行して、演算によって得られた再生時間を不図示のディスプレイ部に表示するための制御信号を生成するとともに、アドレス数に関するパラメータに基づいて電源停止時の位置を演算して音声データや画像データなどの再生情報をレジューム再生するための信号を生成する。【選択図】      図２
2004206865.tif 000002
【特許請求の範囲】
【請求項１】
レーザ光を光ディスクに照射するとともに、前記光ディスクに反射して生じた反射光を電気信号に変換する光学ユニットと、
前記光学ユニットからの前記電気信号を再生に必要な再生情報に変換する信号処理手段と、
前記信号処理手段からの再生情報に含まれるパラメータを記憶するパラメータ記憶手段と、
前記パラメータ記憶手段に記憶されたパラメータに基づいて再生時間を演算する再生時間演算手段とを備えることを特徴とする光ディスク装置。
【請求項２】
前記パラメータ記憶手段によって記憶されたパラメータに基づいて再生開始位置を決定する光ディスク再生手段とを備えることを特徴とする請求項１記載の光ディスク装置。   
【請求項３】
前記再生時間演算手段が演算して得られた再生時間の情報に基づいて、前記再生時間を表示する再生時間表示手段を備えることを特徴とする請求項１記載の光ディスク装置。
【請求項４】
車両に搭載され、前記光ディスクの再生中に前記車両のアクセサリー電源がオフされ、その後オンされたとき、前記再生時間演算手段は、前記パラメータ記憶手段に記憶されたパラメータを読み出し、前記アクセサリー電源がオフされた時点の再生時間を演算し、前記光ディスク再生手段は、略前記アクセサリー電源がオフされた時点を再生開始位置と決定することを特徴とする請求項２記載の光ディスク装置。
【請求項５】
光ディスクの再生を含む複数の動作モードを有する車載用音響機器に接続され、光ディスクを再生する光ディスク再生モード中に光ディスク再生モード以外の動作モードに移行し、その後光ディスク再生モードに移行したとき、前記再生時間演算手段は、前記パラメータ記憶手段に記憶されたパラメータを読み出し、前記光ディスク再生モードから前記光ディスク再生モード以外の動作モードに移行した時点の再生時間を演算し、前記光ディスク再生手段は、略前記光ディスク再生モードから前記光ディスク再生モード以外のモードに移行した時点を再生開始時点と決定することを特徴とする請求項２記載の光ディスク装置。
【発明の詳細な説明】
【技術分野】
【０００１】
本発明は、レジューム再生をする光ディスク装置に関するものであって、より詳しくは、再生時間情報をアドレス情報に含まない圧縮オーディオ情報を電源停止後に再生する場合であっても再生時間情報を得ることができる光ディスク装置に関するものである。
【背景技術】
【０００２】
従来の技術として、光ディスクの再生位置を示すアドレス情報を記憶し、電源停止後であっても、記憶されたアドレス情報に基づいて電源停止時の再生位置から再生を開始する（以下、このような再生を単にレジューム再生という）光ディスク再生装置が知られている（特許文献１を参照）。係る光ディスク再生装置は、車載用の音響機器として多く用いられており、車両のアクセサリー電源（ＡＣＣ電源）がオフされてもバッテリーからの電力が記憶素子に供給されることによって記憶素子に記憶された情報は保持されるようになっている。
【特許文献１】特開２００２−２３０７８１号公報（０００５および０００６段落を参照）
【発明の開示】
【発明が解決しようとする課題】
【０００３】
さて、近年登場したＭＰ３（ＭＰＥＧ‐１  Ａｕｄｉｏ  Ｌａｙｅｒ‐３）などに代表される圧縮オーディオにおいては、光ディスクのアドレス情報に再生時間に関する情報（以下、単に再生時間情報という）が含まれていない場合がある。ところが、前述の従来の技術は、記憶されたアドレス情報に基づいて電源停止前の再生位置から再生を開始するにすぎず、電源停止時のアドレス情報から再生時間情報を抽出しないので、電源停止後に再生する場合に再生時間情報を得ることができないという問題があった。そのためアクセサリー電源停止後に再生するとき、ディスクの最初から再生を開始してしまうという問題があった。
【０００４】
そこで、本発明は、上記課題を解決するためのものであって、再生時間情報をアドレス情報に含まない圧縮オーディオ情報を電源停止後に再生する場合であっても再生時間情報を得ることができる光ディスク装置を提供することを目的とする。
【課題を解決するための手段】
【０００５】
本発明に係る光ディスク装置は、上記課題を解決するため、レーザ光を光ディスクに照射するとともに、前記光ディスクに反射して生じた反射光を電気信号に変換する光学ユニットと、前記光学ユニットからの前記電気信号を再生に必要な再生情報に変換する信号処理手段と、前記信号処理手段からの再生情報に含まれるパラメータを記憶するパラメータ記憶手段と、前記パラメータ記憶手段に記憶されたパラメータに基づいて再生時間を演算する再生時間演算手段とを備えることを特徴とする構成を有している。ここで、再生情報とは、音楽データや画像データなどの再生に必要なデータをいう。また、パラメータとは、アドレス数、ビットレート、モノラル／ステレオの判別などの要素をいう。
【０００６】
この構成によれば、再生情報に含まれるパラメータから再生時間を演算するので、再生時間情報をアドレス情報に含まない圧縮オーディオ情報を電源停止後に再生する場合であっても再生時間情報を得ることができる。
【０００７】
本発明に係る光ディスク装置において、前記パラメータ記憶手段によって記憶されたパラメータに基づいて再生開始位置を決定する光ディスク再生手段とを備えることを特徴とする構成を有している。
【０００８】
この構成によれば、前記パラメータ記憶手段によって記憶されたパラメータに基づいて再生開始位置を決定するので、再生時間情報をアドレス情報に含まない圧縮オーディオ情報を電源停止後に再生する場合であっても再生時間情報を得るとともにレジューム再生を実現することができる。
【０００９】
本発明に係る光ディスク装置において、前記再生時間演算手段が演算して得られた再生時間の情報に基づいて、前記再生時間を表示する再生時間表示手段を備えることを特徴とする構成を有している。
【００１０】
この構成によれば、再生情報に含まれるアドレス数およびビットレート等の情報に基づいて再生時間を演算するので、再生時間情報をアドレス情報に含まない圧縮オーディオ情報を電源停止後に再生する場合であっても再生時間情報を得ることができると共に、再生時間を再生時間表示手段に表示できる。
【００１１】
本発明に係る光ディスク装置において、車両に搭載され、前記光ディスクの再生中に前記車両のアクセサリー電源がオフされ、その後オンされたとき、前記再生時間演算手段は、前記パラメータ記憶手段に記憶されたパラメータを読み出し、前記アクセサリー電源がオフされた時点の再生時間を演算し、前記光ディスク再生手段は、略前記アクセサリー電源がオフされた時点を再生開始位置と決定する構成を有している。
【００１２】
この構成によれば、光ディスク再生装置を車載し、イグニッションキーを回すことによるアクセサリー電源のオン／オフに連動して光ディスクの再生または停止をし、アクセサリー電源の供給をオフし、光ディスクの再生を停止する直前の再生情報を記憶手段に記憶すると共に、再度アクセサリー電源を供給し、光ディスクの再生を再び始める際に再生時間情報を算出するようにしたため、再生時間情報をアドレス情報に含まない圧縮オーディオ情報を記録した光ディスクを再生する場合でも、アクセサリー電源供給をオフした後再度オンした時の再生においても再生時間情報を得ることができ、レジューム再生を実現できる。
【００１３】
本発明に係る光ディスク装置において、光ディスクの再生を含む複数の動作モードを有する車載用音響機器に接続され、光ディスクを再生する光ディスク再生モード中に光ディスク再生モード以外の動作モードに移行し、その後光ディスク再生モードに移行したとき、前記再生時間演算手段は、前記パラメータ記憶手段に記憶されたパラメータを読み出し、前記光ディスク再生モードから前記光ディスク再生モード以外の動作モードに移行した時点の再生時間を演算し、前記光ディスク再生手段は、略前記光ディスク再生モードから前記光ディスク再生モード以外のモードに移行した時点を再生開始時点と決定する構成を有している。
【００１４】
この構成によれば、光ディスク再生装置を車載し、操作パネルを介した動作モードの選択に連動して光ディスクの再生または停止をし、再生の際に再生時間情報を算出するようにしたため、再生時間情報をアドレス情報に含まない圧縮オーディオ情報を記録した光ディスクを再生する場合でも、動作モード切替後の再生においても再生時間情報を得ることができ、レジューム再生を実現できる。
【発明の効果】
【００１５】
本発明は、再生情報に含まれるパラメータから再生時間を演算するので、再生時間情報をアドレス情報に含まない圧縮オーディオ情報を電源停止後に再生する場合であっても再生時間情報を得ることができる光ディスク装置を提供することができる。
【発明を実施するための最良の形態】
【００１６】
以下、本発明の実施の形態について、図面を用いて説明する。
【００１７】
（第１の実施の形態）
図１は、本発明の第１の実施の形態に係る光ディスク装置の構成を示す図である。ここで、光ディスク装置１００とは、レーザ光を光ディスク２００に形成されたピットに照射し、光ディスク２００のピットで反射して生じた反射光を検出して得られた情報信号を再生する装置をいう。光ディスクの具体例として、音楽情報や画像情報などの再生情報をディジタル情報としてピットで記録するコンパクトディスク（以下、単にＣＤという）や、ディジタル多用途ディスク（以下、単にＤＶＤという）などがある。本発明の第１の実施の形態では光ディスク２００としてＣＤを用いた場合を説明するが、他の記憶媒体を用いる場合を妨げるものではない。
【００１８】
図１に示すように、本発明に係る光ディスク装置１００は、光ディスク２００を回転駆動するスピンドルモータ１０１と、スピンドルモータ１０１の回転数を制御するスピンドルモータ駆動回路１０２と、光ディスク２００に向かって光ビームを照射する半導体レーザ光源および光ディスク２００で反射した光ビームを受光して電気信号に変換する光電変換素子によって構成される光学ユニット１０３とを備える。
【００１９】
光ディスク装置１００は、さらに、光学ユニット１０３から光ディスク２００に向かって照射される光ビームの出力を制御するレーザ駆動回路１０４と、光ディスク２００で反射した反射光を絞り込んで光電変換素子に通すように光学ユニット１０３と光ディスク２００との間に配置された対物レンズ１０５と、対物レンズ１０５の位置を移動するように対物レンズ１０５に設けられたアクチュエータ１０６と、アクチュエータ１０６を制御するアクチュエータ制御手段１０７とを備える。ここで、アクチュエータ１０６は、光軸に平行なフォーカス方向に光スポットの位置を定めるフォーカスアクチュエータ１０６ａおよび光ディスクのトラックの半径方向に光スポットの位置を定めるトラッキングアクチュエータ１０６ｂによって構成されている。
【００２０】
光ディスク装置１００は、さらに、光学ユニット１０３からの電気信号に基づいて、フォーカスエラー信号およびトラッキングエラー信号などの誤差信号およびＲＦ信号を生成するＲＦ回路１０８と、ＲＦ回路からの誤差信号に基づいてスピンドルモータ駆動回路１０２およびアクチュエータ制御手段１０７にサーボをかけて駆動するサーボ制御回路１０９と、ＲＦ回路１０８からのＲＦ信号を音楽情報や画像情報などの再生情報に変換する信号処理回路１１０とを備える。ここで、信号処理回路１１０は、信号処理手段としての機能を有する。
【００２１】
光ディスク装置１００は、さらに、再生情報などを記憶するＤＲＡＭ１１１と、装置内の処理全般を制御する制御プログラムを格納するＲＯＭ１１２と、ＲＯＭ１１２に格納された制御プログラムを実行する中央処理回路（以下ＣＰＵという）１１３とを備える。ここで、ＤＲＡＭ１１１は、パラメータ記憶手段としての機能を有する。また、ＲＯＭ１１２およびＣＰＵ１１３は、再生時間演算手段および光ディスク再生手段としての機能を有し、ＤＲＡＭ１１１に記憶されたパラメータに基づいて再生時間を演算するとともに、ＤＲＡＭ１１１に記憶されたパラメータに基づいて電源停止後の再生位置を決定する。音楽情報や画像情報などの再生情報に含まれるパラメータとして、アドレス数、ビットレート、モノラル／ステレオの判別などがあるが、これらの要素に限定するものではない。ここで、ＤＲＡＭ１１１、ＲＯＭ１１２、ＣＰＵ１１３等のレジューム再生機能を実現するために必要な構成手段には、光ディスク装置１００への主電源がオフされて、動作停止状態にあるときにでも内蔵電池等の内蔵電源、車のバッテリー、家庭用電源等のいずれかから得られる微小電力が供給されることを前提とする。なお、ＤＲＡＭ１１１は、パラメータ記憶手段の一例であり、ＳＲＡＭでもよい。また、パラメータ記憶手段を、フラッシュメモリ（ＥＥＰＲＯＭを含むものとする）やＦＲＡＭ（Ｆｅｒｒｏｅｌｅｃｔｒｉｃ  ＲＡＭ）等によって構成すると、電力が常時供給されていることを前提としなくても記録されている再生情報等が消えないため好適である。
【００２２】
次に、図２のフローチャートを参照して、本発明の第１の実施の形態の光ディスク装置によるレジューム再生動作について説明する。ＣＰＵ１１３が、ＲＯＭ１１２に格納された制御プログラムを実行して、光ディスク２００を回転駆動するように制御する（ステップＳ１０１）。このとき、光ディスク２００で反射した反射光は光学ユニット１０３によって電気信号に変換されて、電気信号はＲＦ回路１０８および信号処理回路１１０を通じて再生情報に変換される。
【００２３】
ステップＳ１０１において再生情報が得られると、ＣＰＵ１１３は、ＲＯＭ１１２に格納された制御プログラムを実行して、再生情報に含まれるパラメータをＤＲＡＭ１１１に記憶する。さらに、再生情報に含まれるパラメータが変動した場合には、ＣＰＵ１１３は、ＲＯＭ１１２に格納された制御プログラムを実行して、ＤＲＡＭ１１１に記憶された変動前のパラメータを更新するように変動後のパラメータをＤＲＡＭ１１１に記憶する（ステップＳ１０２）。
【００２４】
ここで、光ディスク装置１００の不図示の電源が停止しなければ、ステップＳ１０２の動作が電源停止まで繰り返し行われる（ステップＳ１０３）。他方、ステップＳ１０３において、電源が停止された場合、光ディスクの電源が入れられて、光ディスクを再度駆動するように光ディスク装置の再起動が行われる（ステップＳ１０４）。
【００２５】
ステップＳ１０４において、光ディスク装置１００が電源停止後に再起動した場合、ＣＰＵ１１３は、ＲＯＭ１１２に格納された制御プログラムを実行して、電源停止時のパラメータをＤＲＡＭ１１１から読み出す（ステップＳ１０５）。
【００２６】
ステップＳ１０５において、電源停止時のパラメータがＤＲＡＭ１１１から読み出されると、ＣＰＵ１１３は、ＲＯＭ１１２に格納された制御プログラムを実行して、ＤＲＡＭ１１１から読み出したパラメータに基づいて電源停止時の再生時間を次式に従って演算する（ステップＳ１０６）。
【００２７】
モノラル時
再生時間（ｓｅｃ）＝｛アドレス数／ビットレート（ｋｂｐｓ）｝／１
ステレオ時
再生時間（ｓｅｃ）＝｛アドレス数／ビットレート（ｋｂｐｓ）｝／２
ステップＳ１０６において電源停止時の再生時間が演算されると、ＣＰＵ１１３は、ＲＯＭ１１２に格納された制御プログラムを実行して、演算によって得られた再生時間を不図示のディスプレイ部に表示するための制御信号を生成するとともに、アドレス数に関するパラメータに基づいて電源停止時の位置を演算して音声データや画像データなどの再生情報をレジューム再生するための信号を生成する（ステップＳ１０７）。
【００２８】
本発明の第１の実施の形態によれば、再生情報に含まれるアドレス数およびビットレート等の情報に基づいて再生時間を演算するので、再生時間情報をアドレス情報に含まない圧縮オーディオ情報を電源停止後に再生する場合であっても再生時間情報を得ることができる。
【００２９】
（第２の実施の形態）
図３は、本発明の第２の実施の形態に係る光ディスク装置の一部の構成を示すブロック図である。本発明の第２の実施の形態に係る光ディスク装置は、図３に示すように、本発明の第１の実施の形態に係る光ディスク装置に、液晶ディスプレイ３０２と、液晶ディスプレイ３０２を駆動するＬＣＤ駆動回路３０１とによって構成される再生時間表示回路３００を付加した構成を有する。
【００３０】
また、図３に示すように、本発明の第１の実施の形態に係る光ディスク装置と、再生時間表示回路３００とは、ＣＰＵ１１３からの情報がＬＣＤ駆動回路３０１に入力されるように接続される。このような構成の下で、ＣＰＵ１１３が行う演算処理によって算出される再生時間情報は、ＬＣＤ駆動回路３０１に出力され、ＬＣＤ駆動回路３０１は、入力された再生時間情報に基づいて、液晶ディスプレイ３０２を駆動して再生時間を表示するようになっている。
【００３１】
本発明の第２の実施の形態によれば、再生情報に含まれるアドレス数およびビットレート等の情報に基づいて再生時間を演算するので、再生時間情報をアドレス情報に含まない圧縮オーディオ情報を電源停止後に再生する場合であっても電源停止前の再生時間情報を得ることができると共に、再生時間を再生時間表示手段（再生時間表示回路）に表示することができる。
【００３２】
（第３の実施の形態）
図４は、本発明の第３の実施の形態に係る光ディスク装置の一部の構成を示すブロック図である。本発明の第３の実施の形態に係る光ディスク装置は、車両に搭載され、図４に示すように、本発明の第１の実施の形態に係る光ディスク装置のＣＰＵ１１３に、イグニッションキーの位置に応じて信号レベルが変化するＡＣＣ  ＯＮ／ＯＦＦ信号が入力されるようになっている。図５に示すように、ＡＣＣ  ＯＮ／ＯＦＦ信号は、アクセサリー電源が供給されている状態では、Ｈｉｇｈであり、光ディスクに記録された情報は再生され、イグニッションキーを回してアクセサリー電源が供給されず光ディスク装置が動作しない状態では、Ｌｏｗである。
【００３３】
ここで、ＲＯＭ１１２には、イグニッションキーが操作され、ＡＣＣ  ＯＮ／ＯＦＦ信号のレベルに応じた処理及びレベル変化に対応した処理を含む制御プログラムが予め格納されているものとする。ＡＣＣ  ＯＮ／ＯＦＦ信号はＣＰＵ１１３に入力されており、ＣＰＵ１１３は、この制御プログラムに従って以下の処理を実行する。
【００３４】
ＣＰＵ１１３は、Ｈｉｇｈを示すＡＣＣ  ＯＮ／ＯＦＦ信号が入力されている間、光ディスクの再生を行い、Ｌｏｗを示すＡＣＣ  ＯＮ／ＯＦＦ信号が入力されると、光ディスクの再生を停止するように制御する。イグニッションキーが回されアクセサリー電源の供給が停止するとＡＣＣ  ＯＮ／ＯＦＦ信号がＨｉｇｈからＬｏｗに変化し、スピンドルモータ１０１や光学ユニット１０３等の、ＣＰＵ１１３、ＲＯＭ１１２、ＤＲＡＭ１１１以外の構成手段への電力の供給は停止する。この電力の供給を停止する際の制御は、本発明の第１の実施の形態で示した電源停止の際の制御と同様である。
【００３５】
再度イグニッションキーを回してアクセサリー電源が供給されると、ＡＣＣ  ＯＮ／ＯＦＦ信号がＬｏｗからＨｉｇｈに変わり、スピンドルモータ１０１や光学ユニット１０３等の、光ディスクの再生停止の際に電力の供給を停止した構成手段への電力の供給が再開されると共に、直前にＡＣＣ  ＯＮ／ＯＦＦ信号がＬｏｗになったときＲＡＭ１１１に記憶された情報を読み出し、再生時間情報を生成し、アクセサリー電源の供給が停止し、再生動作を停止した時点の再生位置からの光ディスクの再生を開始する。光ディスクのレジューム再生を行う。
【００３６】
図５に示す状態Ｓ１、Ｓ３は、アクセサリー電源が供給されている状態を示し、状態Ｓ１では、光ディスクが再生され、ＡＣＣ  ＯＮ／ＯＦＦ信号はＨｉｇｈとなっている。図５には、状態Ｓ１で再生時間がＴ１になったとき、イグニッションキーを回し、アクセサリー電源の供給を停止し、ＡＣＣ  ＯＮ／ＯＦＦ信号がＬｏｗの状態Ｓ２に移る様子を示す。状態Ｓ２から状態Ｓ３に移る際は、イグニッションキーを回し、アクセサリー電源が供給されると共にＡＣＣ  ＯＮ／ＯＦＦ信号がＬｏｗからＨｉｇｈに変わり、再生時間Ｔ１から、再度、光ディスクが再生される。状態Ｓ１から状態Ｓ２に移る際、および、状態Ｓ２から状態Ｓ３に移る際のＣＰＵ１１３の制御および処理については、上記で説明したため、その説明を省略する。
【００３７】
本発明の第３の実施の形態によれば、光ディスク再生装置を車載し、イグニッションキーを回すことによるアクセサリー電源の供給のオン／オフに連動して光ディスクの再生または停止をし、再生の際に再生時間情報を算出するようにしたため、再生時間情報をアドレス情報に含まない圧縮オーディオ情報を記録した光ディスクを再生する場合でも、電源停止後の再生においても再生時間情報を得ることができ、レジューム再生を実現できる。
【００３８】
（第４の実施の形態）
図６は、本発明の第４の実施の形態に係る光ディスク装置の一部の構成を示すブロック図である。本発明の第４の実施の形態に係る光ディスク装置は、車載用音響装置に搭載され、車載用音響装置の動作モードが移行した際にレジューム再生を行うものである。図６は、車載用音響装置６０１が、光ディスク装置１００とチューナ６０３とを搭載する場合の一構成例を示す図である。以下では、光ディスク装置１００を介した再生を行う動作モードを光ディスク再生モードといい、チューナ６０３を介した音声の再生を行う動作モードをチューナモードという。
【００３９】
図６において、ＣＰＵ６０２は、操作パネル６０７を介して動作モードの選択が行われたとき、動作モードを特定する動作モード信号を生成し、光ディスク装置１００のＣＰＵ１１３、チューナ６０３、およびセレクタ６０４に出力する。光ディスク装置１００のＣＰＵ１１３は、動作モードが光ディスク再生モードであることを示す動作モード信号（以下、光ディスク動作モード信号という）が入力されると、光ディスクの再生を開始するように制御する。これに対して、動作モードがチューナモードであることを示す動作モード信号（以下、チューナ動作モード信号という）が入力されると、光ディスクの再生を停止するように制御する。
【００４０】
光ディスク動作モード信号がセレクタ６０４に入力されると、セレクタ６０４は、光ディスク装置１００からの出力を選択し、増幅回路６０５に出力する。セレクタ６０４からの出力信号は、増幅回路６０５によって増幅され、スピーカ６０６によって音声に変換される。チューナ動作モード信号がセレクタ６０４に入力されると、セレクタ６０４は、チューナ動作モード信号に応答して起動したチューナ６０３からの出力を選択し、増幅回路６０５に出力する。
【００４１】
図７に示す動作モード信号がＨｉｇｈの状態Ｓ１、Ｓ３は、動作モードが光ディスク再生モードである状態を示し、動作モード信号がＬｏｗの状態Ｓ２は、動作モードがチューナモードである状態を示す。図７は、状態Ｓ１で光ディスクが再生され、再生時間がＴ１になったとき、動作モード信号がＬｏｗの状態Ｓ２に切り替わり、光ディスクの再生が停止し、その後、動作モード信号がＨｉｇｈに変わるとき（状態Ｓ２から状態Ｓ３に変わるとき）、再生時間Ｔ１から、再度、光ディスクが再生される。通常、光ディスク動作モードにおいてはチューナへの電源供給を停止し、逆にチューナ動作モードにおいては前述したように、ＣＰＵ１１３、ＲＯＭ１１２、ＤＲＡＭ１１１には電源供給するが、ドライブ回路等、電力を消費する回路には電力供給が停止するため、光ディスクは回転を停止すると共にアクチュエータも動作を停止する。
【００４２】
本発明の第４の実施の形態によれば、光ディスク再生装置を車載し、操作パネルを介した動作モードの選択に連動して光ディスクの再生または停止をし、再生の際に再生時間情報を算出するようにしたため、再生時間情報をアドレス情報に含まない圧縮オーディオ情報を記録した光ディスクを再生する場合でも、動作モード切替後の再生においても再生時間情報を得ることができ、光ディスク再生モードからチューナモードに切り換わった後、再度光ディスク再生モードに移行したときに、チューナモードに移行する前の再生位置に引き続き再生を開始するレジューム再生を実現できる。
【産業上の利用可能性】
【００４３】
本発明に係る光ディスク装置は、再生時間情報をアドレス情報に含まない圧縮オーディオ情報を電源停止後に再生する場合であっても再生時間情報を得ることができるという効果を有し、レジューム再生をする光ディスク装置等として有用である。
【図面の簡単な説明】
【００４４】
【図１】本発明の第１の実施の形態に係る光ディスク装置を示すブロック図
【図２】光ディスク装置のレジューム再生動作を示すフローチャート
【図３】本発明の第２の実施の形態に係る光ディスク装置の一部の構成を示すブロック図
【図４】本発明の第３の実施の形態に係る光ディスク装置の一部の構成を示すブロック図
【図５】本発明の第３の実施の形態に係る光ディスク装置の動作を説明するためのタイミングチャート
【図６】本発明の第４の実施の形態に係る光ディスク装置の一部の構成を示すブロック図
【図７】本発明の第４の実施の形態に係る光ディスク装置の動作を説明するためのタイミングチャート
【符号の説明】
【００４５】
１０３  光学ユニット
１１０  信号処理回路（信号処理手段）
１１１  ＤＲＡＭ（パラメータ記憶手段）
１１２  ＲＯＭ（再生時間演算手段、光ディスク再生手段）
１１３  ＣＰＵ（再生時間演算手段、光ディスク再生手段）
３００  再生時間表示回路（再生時間表示手段）
３０１  ＬＣＤ駆動回路
３０２  液晶ディスプレイ
６０１  車載用音響装置
６０２  ＣＰＵ
６０３  チューナ
６０４  セレクタ
６０５  増幅回路
６０６  スピーカ
６０７  操作パネル
【図１】
2004206865.tif 000003
【図２】
2004206865.tif 000004
【図３】
2004206865.tif 000005
【図４】
2004206865.tif 000006
【図５】
2004206865.tif 000007
【図６】
2004206865.tif 000008
【図７】
2004206865.tif 000009